(57)【要約】【課題】通信品質劣化および伝送効率劣化が発生することのないように送信電力制御を行う基地局装置を得ること。【解決手段】本発明は、高速伝送モードまたは低速伝送モードで通信を行う端末装置の送信電力を制御する基地局装置であって、高速伝送モードで通信中の端末装置によるデータ伝送を終了またはデータ伝送速度を低下させる場合に、所定の条件を満たすまで、低速伝送モードで通信中の端末装置の送信電力変化量が少なくなるように制御することとした。【選択図】        図１
2009273019.tif 000002
【特許請求の範囲】
【請求項１】
高速伝送モードまたは低速伝送モードで通信を行う端末装置の送信電力を制御する基地局装置であって、
高速伝送モードで通信中の端末装置によるデータ伝送を終了またはデータ伝送速度を低下させる場合に、所定の条件を満たすまで、低速伝送モードで通信中の端末装置の送信電力変化量が少なくなるように制御することを特徴とする基地局装置。
【請求項２】
前記所定の条件を、前記高速伝送モードで通信中の端末装置がデータ伝送を終了する際のデータ再送処理またはデータ伝送速度を変更する前の伝送速度によるデータ再送処理が終了するまで、とすることを特徴とする請求項１に記載の基地局装置。
【請求項３】
高速伝送モードで通信中の端末装置の送信電力制御をデータの伝送量を指示することにより行い、低速伝送モードで通信中の端末装置の送信電力制御を送信電力の増加または減少を指示することにより行うことを特徴とする請求項１または２に記載の基地局装置。
【請求項４】
低速伝送モードで通信中の端末装置の送信電力変化量を少なくさせる制御では、当該端末装置に対して送信電力減少指示と送信電力増加指示とを交互に行うことを特徴とする請求項３に記載の基地局装置。
【請求項５】
請求項１〜４のいずれか一つに記載の基地局装置と、
前記基地局装置による送信電力制御指示に従った電力で上り信号を送信する端末装置と、
を備えることを特徴とする通信システム。
【発明の詳細な説明】
【技術分野】
【０００１】
本発明は、スペクトル拡散を用いてマルチプルアクセスを行うＣＤＭＡ（Code  Division  Multiple  Access：符号分割多元接続）により情報伝送を実現する基地局装置および通信システムに関する。
【背景技術】
【０００２】
ＣＤＭＡ通信では、同一周波数、同一時間に、異なる拡散符号を使用することにより同時に信号を伝送するシステムであり、同時に通信している他ユーザの信号電力が干渉となる。このため、各端末装置の送信電力が基地局装置の受信端において適切な電力になるように、送信電力を制御することによって、システム全体の通信容量を効率的に向上させることができる。この制御は送信電力制御と呼ばれる。従来の送信電力制御は、たとえば下記特許文献１に記載されている。特許文献１に記載の送信電力制御によれば、基地局装置は、通信を行っている端末装置（移動局）からの信号受信電力、熱雑音および他の端末装置からの干渉電力から求められる受信品質が所要の品質を満たすように送信電力制御を行い、また端末装置は、規定された最大電力を超えない範囲で、基地局装置からの指示に従った電力で信号を送信することにより、送信電力が送信増幅器の最大出力電力に発散してしまうのを防止している。
【０００３】
【特許文献１】特開平８−３２５１５号公報
【発明の開示】
【発明が解決しようとする課題】
【０００４】
しかしながら、基地局装置が収容している端末装置の数が少ない場合、各端末装置の伝送レートとトラフィックの違いにより、基地局内で同時に送信している端末装置間の干渉電力が急速に変動する。その結果、従来の送信電力制御を適用した場合、逆に通信品質が悪くなる、という問題があった。
【０００５】
上記の問題が発生するケースについて図５を用いて説明する。図５は、パケット通信を行っている高速伝送の端末装置と音声通信を行っている低速伝送の端末装置が同時に送信している場合の例を示し、より詳細には、高速伝送の端末装置のトラフィックが下がって送信を止めて、別の高速伝送の端末装置が送信を開始する場合の基地局装置の受信端における受信信号電力の一例を示している。
【０００６】
高速伝送の端末装置の送信を止めると、この端末装置からの受信信号電力５１が下がり、低速伝送の端末装置が送信する信号への干渉が小さくなるため、送信電力制御により、低速伝送の端末装置送信からの受信電力５３が低下する。しかし、パケット伝送の場合、再送処理により、基地局装置において受信誤りが発生したパケットの再送が通常行われる。このため、電力が大きいバースト信号が高速伝送の端末装置より送信され、その影響により、低速伝送の端末装置が送信した信号を基地局装置で良好に受信できない。また、低速伝送の端末装置が送信する信号の電力が低くなっているため、この状態で急に高速伝送のパケットが他の端末装置より送信され、その受信電力５２が急に上昇した場合、低速伝送の端末装置が送信する信号の電力が適切な電力に上げられるまで、低速伝送の端末装置が送信した信号を基地局装置で良好に受信できない。
【０００７】
一方、高速伝送パケットが急に送信された場合の影響を考慮し、高速伝送の端末装置が送信するデータを少しずつ増やすことにより送信信号の電力を徐々に増加させ、低速伝送端末装置の送信信号への影響を抑えるようにすることもできるが、その場合は高速伝送の端末装置の伝送効率が悪くなる、という別の問題が生じる。
【０００８】
本発明は、上記に鑑みてなされたものであって、端末装置から基地局装置に対する通信において、高速データ伝送が終了後、すぐに高速データ伝送が再開される場合であっても、低速伝送端末装置との間の通信品質劣化および高速データ伝送の伝送効率劣化が発生することのないように送信電力制御を行う基地局装置を得ることを目的とする。
【課題を解決するための手段】
【０００９】
上述した課題を解決し、目的を達成するために、本発明は、高速伝送モードまたは低速伝送モードで通信を行う端末装置の送信電力を制御する基地局装置であって、高速伝送モードで通信中の端末装置によるデータ伝送を終了またはデータ伝送速度を低下させる場合に、所定の条件を満たすまで、低速伝送モードで通信中の端末装置の送信電力変化量が少なくなるように制御することを特徴とする。
【発明の効果】
【００１０】
この発明によれば、パケットデータの再送時など、高速データ伝送が終了後、すぐに次の高速データ伝送が行われる場合において、低速伝送端末装置との間の通信品質が劣化するのを防止しつつ高速データ伝送の伝送効率劣化を抑えた通信が実現できる、という効果を奏する。
【発明を実施するための最良の形態】
【００１１】
以下に、本発明にかかる基地局装置および通信システムの実施の形態を図面に基づいて詳細に説明する。なお、この実施の形態によりこの発明が限定されるものではない。
【００１２】
実施の形態．
図１は、本発明にかかる基地局装置（以下、基地局と記載する）およびこれに収容された端末装置（以下、端末と記載する）により構成された通信システムの構成例を示す図であり、基地局１１は、収容している端末１２−１〜１２−４とＣＤＭＡ通信を行う。なお、ここでは、基地局１１が収容している端末数を４として説明を行うが、端末数はこれに限定されない。
【００１３】
また、図２に示すように、基地局１１は、音声通信中の端末である低速伝送端末に対して送信電力制御コマンド２１を送信し、端末が送信する信号の電力制御を行う。また、パケット通信を行っている端末である高速伝送端末に対して最大伝送量情報２２を送信し、端末が送信するデータ量の制御を行いつつ送信電力制御も併せて行う。端末１２−１〜１２−４は、基地局１１から受信した送信電力制御コマンド２１や最大伝送量情報２２に従い、上り信号２３を送信する。
【００１４】
図３は、本実施の形態の通信システムにおける送信電力制御動作の一例を示す図であり、各端末から送信された信号の基地局１１における受信電力の変化の様子を示している。より詳細には、パケット通信動作中の端末１２−１からの受信信号電力３１と、パケット通信動作中の端末１２−２からの受信信号電力３２と、音声通信動作中の端末１２−３および１２−４からの受信信号電力３３と、が基地局１１の制御により変化する様子を示している。なお、図３は、まず端末１２−１がパケットデータ送信を行い、端末１２−１による送信が終了後、端末１２−２がパケットデータを送信する場合の動作を示している。以下、この図３を用いて、本実施の形態の基地局１１および端末１２−１〜１２−４の動作を説明する。
【００１５】
基地局１１は、パケットデータ送信を行う端末１２−１に対して、最大伝送量情報２２を所定のタイミングで複数回送信することにより、パケットデータの電力を段階的に上げて高速伝送を開始させる。なお、パケットデータ送信開始時の送信電力（初期送信電力）は、音声通信を行っている端末１２−３および１２−４からの信号受信電力に応じて決定され、これらの端末からの信号受信電力が高い場合はパケットデータの初期送信電力も高く設定される。すなわち、端末１２−３および１２−４からの信号受信電力が高い場合は、パケットデータのデータ伝送量も高く設定される。また、基地局１１は、端末１２−１の制御と並行して、送信電力制御が高速に行われるように、送信電力制御コマンド２１を音声通信中の端末１２−３および１２−４に送信する。
【００１６】
その後、基地局１１は、端末１２−１に送信する最大伝送量情報２２を一気に下げて、端末１２−１からのパケットデータの送信を止める。このとき、端末１２−３および１２−４から送信される信号の電力変化量か小さくなるように（理想的には変化しないように）、送信電力制御コマンド２１を各端末に送信する。例えば、送信電力制御コマンド２１が送信電力のアップ／ダウンのどちらかを選択して指示するものの場合は、アップ／ダウン指示を交互に送信して送信電力を一定量増加させる制御および減少させる制御を繰り返すことにより、送信電力の変化量が小さくなるようにする。
【００１７】
また、上記音声通信中の端末に対する制御は、端末１２−１からのパケットデータの送信を止めることによって発生する電力低下分を、送信電力制御コマンド２１のアップ／ダウンを決定するための目標値を一時的に下げることによっても可能である。
【００１８】
なお、パケットデータの受信誤りが発生した場合、端末１２−１が再送を行うため、基地局１１は、パケットデータの再送が完了したことを確認した時点で送信電力制御が高速に行われるようにする。すなわち、上記端末１２−１からのパケットデータ送信を止めた後の音声通信中の端末１２−３および１２−４に対する制御は、端末１２−１によるパケット再送処理が終了するまで継続する。
【００１９】
このように、本実施の形態では、基地局は、高速データ伝送を行っている端末がデータ伝送を止めた場合、音声通信中の端末の送信電力をすぐに下げるのではなく、データの再送処理が終了した後に送信電力を下げる制御を行うこととした。これにより、データ再送処理の影響を受けて通信品質が劣化してしまうのを防止できる。
【００２０】
また、端末１２−１によるパケットデータ送信の再送処理が終了するまで、音声通信中の端末の送信電力が高い状態を維持するようにしたので、図３に示したように、端末１２−１によるパケットデータ送信が終了後、すぐに端末１２−２が次のパケットデータ伝送を開始する場合、パケットデータの送信電力の初期値を高く設定することができ、伝送効率が劣化するのを防止できる。すなわち、パケットデータの伝送効率を良くすることもできる。
【００２１】
また、図４に示すように、次のパケットデータ伝送を開始する時には、高速な送信電力制御に戻っているので、次のパケットデータの電力に合わせた送信電力の調整が短時間に行われるようになり、すべての端末との間の通信を良好に行うことができる。
【００２２】
なお、上記説明では、最大伝送量情報によってパケットデータのデータ量を制御する場合の例を示したが、伝送量の代わりに、伝送する信号の電力の最大量の情報によってパケットデータのデータ量を制御するようにしても構わない。
【産業上の利用可能性】
【００２３】
以上のように、本発明にかかる基地局装置は、ＣＤＭＡ方式の無線通信システムに有用であり、特に、高速データ伝送が音声通信品質に与える影響を低く抑え、通信品質および伝送効率の劣化を抑えた通信の実現に適している。
【図面の簡単な説明】
【００２４】
【図１】本発明にかかる基地局装置およびこれに収容された端末装置により構成された通信システムの構成例を示す図である。
【図２】基地局装置と端末装置との間の通信の様子を示す図である。
【図３】本発明にかかる基地局装置による送信電力制御動作例を示す図である。
【図４】本発明にかかる基地局装置による送信電力制御動作例を示す図である。
【図５】課題を説明するための図である。
【符号の説明】
【００２５】
１１  基地局装置
１２−１〜１２−４  端末装置
【図１】
2009273019.tif 000003
【図２】
2009273019.tif 000004
【図３】
2009273019.tif 000005
【図４】
2009273019.tif 000006
【図５】
2009273019.tif 000007